(57)【要約】【課題】ユーザーに好適な再生モードで番組を再生する。【解決手段】使用履歴管理部１５２は、使用履歴情報１６１に基づいて、複数種類の再生モードのうち、再生操作に対応する番組に対しユーザー特定部１５１により特定されたユーザーが過去の期間において最も高い頻度で指定した再生モードを選択する。再生モード切替部１５３は、選択された再生モードを、デコーダブロック１１５に対し設定する。デコーダブロック１１５は、設定された再生モードで、特定されたユーザーが行った再生操作に対応する該番組を再生する。【選択図】図１
2014082693.tif 000002
【特許請求の範囲】
【請求項１】
番組を、再生速度と再生区間との組み合わせで規定される複数種類の再生モードのいずれかで再生する符号化映像再生装置であって、
前記符号化映像再生装置に番組を再生させるための再生操作を行ったユーザーを特定するユーザー特定部と、
前記再生操作がある毎に、前記複数種類の再生モードのうち該再生操作に対応する再生モードを示す再生情報を使用履歴情報に記録する使用履歴管理部と、を備え、
前記使用履歴管理部は、さらに、
前記使用履歴情報に基づいて、前記複数種類の再生モードのうち、前記再生操作に対応する番組に対し前記ユーザー特定部により特定された前記ユーザーが過去の期間において最も高い頻度で指定した再生モードを選択し、
前記符号化映像再生装置は、さらに、
選択された前記再生モードを、前記符号化映像再生装置に対し設定する再生モード切替部を備え、
前記符号化映像再生装置は、設定された前記再生モードで、前記特定されたユーザーが行った前記再生操作に対応する該番組を再生する
符号化映像再生装置。
【請求項２】
前記特定されたユーザーが行った前記再生操作に対応する前記再生情報は、少なくとも音量および画質の設定を示す再生環境パラメータをさらに示し、
前記再生モード切替部は、さらに、
該再生情報が示す前記再生環境パラメータを、設定された前記再生モードで再生対象とされる該番組の再生のパラメータとして設定し、
前記符号化映像再生装置は、設定された前記再生モードで、前記再生操作に対応する該番組を前記再生環境パラメータに従って再生する
請求項１に記載の符号化映像再生装置。
【請求項３】
番組を、再生速度と再生区間との組み合わせで規定される複数種類の再生モードのいずれかで再生する符号化映像再生装置を制御する操作端末であって、
前記符号化映像再生装置に番組を再生させるための再生操作を前記操作端末に対し行ったユーザーを特定するユーザー特定部と、
前記再生操作がある毎に、前記複数種類の再生モードのうち該再生操作に対応する再生モードを示す再生情報を使用履歴情報に記録する使用履歴管理部と、を備え、
前記使用履歴管理部は、さらに、
前記使用履歴情報に基づいて、前記複数種類の再生モードのうち、前記再生操作に対応する番組に対し前記ユーザー特定部により特定された前記ユーザーが過去の期間において最も高い頻度で指定した再生モードを選択し、
前記操作端末は、さらに、
前記特定されたユーザーが行った前記再生操作に対応する該番組を選択された前記再生モードで前記符号化映像再生装置に再生させるコマンドを、前記符号化映像再生装置へ送信する再生モード切替部を備える
操作端末。
【請求項４】
番組を、再生速度と再生区間との組み合わせで規定される複数種類の再生モードのいずれかで再生する符号化映像再生装置が行う符号化映像再生方法であって、
前記符号化映像再生装置に番組を再生させるための再生操作を行ったユーザーを特定するステップと、
前記再生操作がある毎に、前記複数種類の再生モードのうち該再生操作に対応する再生モードを示す再生情報を使用履歴情報に記録するステップと、
前記使用履歴情報に基づいて、前記複数種類の再生モードのうち、前記再生操作に対応する番組に対し前記ユーザー特定部により特定された前記ユーザーが過去の期間において最も高い頻度で指定した再生モードを選択するステップと、
選択された前記再生モードを、前記符号化映像再生装置に対し設定するステップと、
前記符号化映像再生装置が、設定された前記再生モードで、前記特定されたユーザーが行った前記再生操作に対応する該番組を再生するステップとを含む
符号化映像再生方法。
【請求項５】
前記特定されたユーザーが行った前記再生操作に対応する前記再生情報は、少なくとも音量および画質の設定を示す再生環境パラメータをさらに示し、
前記符号化映像再生方法は、さらに、
該再生情報が示す前記再生環境パラメータを、設定された前記再生モードで再生対象とされる該番組の再生のパラメータとして設定するステップを含み、
前記再生するステップでは、前記符号化映像再生装置が、設定された前記再生モードで、前記再生操作に対応する該番組を前記再生環境パラメータに従って再生する
請求項４に記載の符号化映像再生方法。
【発明の詳細な説明】
【技術分野】
【０００１】
本発明は、ハードディスク装置、光ディスク装置等の情報記録媒体に記録された符号化映像の再生に関し、特に、再生モードを自動制御する符号化映像再生装置、操作端末および符号化映像再生方法に関する。
【背景技術】
【０００２】
従来、ハードディスクに符号化圧縮された映像音声情報を記録するハードディスクレコーダーが知られている。ハードディスクなどの大容量記録媒体を導入したことにより、長時間の記録ができるようになってきた。なお、ユーザーの視聴時間は有限である。そのため、再生時間を短縮できるように、ハイライトシーンだけを抽出して再生する「ハイライト再生」、ＣＭ（Commercial Message）区間を除いて再生する「ＣＭカット再生」といった各種再生モードが用いられるようになってきた。
【０００３】
また「ハイライト再生」および「ＣＭカット再生」は再生区間を限定しているが、「音声付早見再生（以下、早見再生と称する）」のように、通常再生よりも速い速度で再生する再生モードも利用されるようになってきた。本願では、再生速度と再生区間との組合せによる再生方法の総称を、再生モードと呼ぶ。
【０００４】
一般的に、ユーザーが再生モードを決定する場合には、まず、再生リスト上で再生番組を選択する際に、番組全体を再生する「全編再生」か、前述した「ハイライト再生」、「ＣＭカット再生」のいずれかを選択する。このように番組の再生開始指示前に、番組の再生区間を決定しなければならない。また、ユーザーは、再生指示後に、再生キーや早送りキー等を押下することにより「通常再生」、「早見再生」、「早送り」などの再生速度を決定しなければならない。
【０００５】
特許文献１では、番組を再生する際に、番組の盛上がり（ハイライト）シーンは通常速度で番組を再生し、ハイライトシーン以外は番組を早送り再生するように制御する技術（以下、関連技術Ａともいう）が開示されている。これにより、長時間の映像を効率よく短時間で視聴できる映像再生装置を実現している。
【先行技術文献】
【特許文献】
【０００６】
【特許文献１】特開２００５−２３６５２７号公報（段落００６５、図１，２）
【発明の概要】
【発明が解決しようとする課題】
【０００７】
しかしながら、関連技術Ａには、以下のような問題点がある。具体的には、関連技術Ａでは、録画時に抽出したハイライトシーンか否かの情報に基づいて、１つの番組内の映像シーン毎に再生モードを自動的に切替えている。しかしながら、ユーザーによっては、番組ジャンルや再生時間帯によって、好適な再生モードが異なる。
【０００８】
例えば、ドラマ、アニメなどの一貫したシナリオがある番組においては、番組全体のうちＣＭカット再生区間を早見再生して短時間で楽しみたいといった、ユーザーの要望がある。一方、スポーツの番組などでは、ハイライト再生区間を通常再生して楽しみたいといった、ユーザーの要望がある。
【０００９】
ここで、番組を再生する時間帯は、例えば、朝、昼、夕方、夜（深夜）等に分類される。例えば、深夜などは、ユーザはゆっくりと番組を楽しみたいので「通常再生」を望む。また、例えば、朝および昼などは、慌しい時間なので「早見再生」で、番組内容だけを簡単に確認することをユーザーは望む。このように、ユーザーによって番組ジャンルまたは再生時間帯に合わせて、好適な再生モードは異なる。
【００１０】
関連技術Ａでは、番組内の映像シーンがハイライトシーンであるか否かに基づいてのみ、再生モードを自動制御している。そのため、上述したようなユーザーの嗜好性を加味して、番組毎に再生モードを自動決定することができない。
【００１１】
もちろん、ユーザーは、番組の再生指示時または再生後に、ユーザー自身が再生モードを手動で変更することもできる。しかしながら、このようにすると再生の都度、煩雑な操作を強いられることになるため、ユーザーにとって使い勝手が悪くなるといった問題があった。
【００１２】
本発明は、このような問題を解決するためになされたものであり、ユーザーに手間をかけることなく、ユーザーに好適な再生モードで番組を再生することが可能な符号化映像再生装置等を提供することを目的とする。
【課題を解決するための手段】
【００１３】
上記目的を達成するために、本発明の一態様に係る符号化映像再生装置は、番組を、再生速度と再生区間との組み合わせで規定される複数種類の再生モードのいずれかで再生する。前記符号化映像再生装置は、該符号化映像再生装置に番組を再生させるための再生操作を行ったユーザーを特定するユーザー特定部と、前記再生操作がある毎に、前記複数種類の再生モードのうち該再生操作に対応する再生モードを示す再生情報を使用履歴情報に記録する使用履歴管理部と、を備え、前記使用履歴管理部は、さらに、前記使用履歴情報に基づいて、前記複数種類の再生モードのうち、前記再生操作に対応する番組に対し前記ユーザー特定部により特定された前記ユーザーが過去の期間において最も高い頻度で指定した再生モードを選択し、前記符号化映像再生装置は、さらに、選択された前記再生モードを、前記符号化映像再生装置に対し設定する再生モード切替部を備え、前記符号化映像再生装置は、設定された前記再生モードで、前記特定されたユーザーが行った前記再生操作に対応する該番組を再生する。
【発明の効果】
【００１４】
本発明によれば、使用履歴管理部は、前記使用履歴情報に基づいて、前記複数種類の再生モードのうち、前記再生操作に対応する番組に対し前記ユーザー特定部により特定された前記ユーザーが過去の期間において最も高い頻度で指定した再生モードを選択する。再生モード切替部は、選択された前記再生モードを、前記符号化映像再生装置に対し設定する。前記符号化映像再生装置は、設定された前記再生モードで、前記特定されたユーザーが行った前記再生操作に対応する該番組を再生する。
【００１５】
これにより、ユーザーに手間をかけることなく、ユーザーに好適な再生モードで番組を再生することができる。
【図面の簡単な説明】
【００１６】
【図１】本発明の実施の形態１に係る符号化映像再生装置の構成を示すブロック図である。
【図２】使用履歴情報のデータ構造の一例を示す図である。
【図３】登録端末情報のデータ構造の一例を示す図である。
【図４】制御コマンドのデータ構造の一例を示す図である。
【図５】再生操作対応処理のフローチャートである。
【図６】再生モード判定処理のフローチャートである。
【図７】再生モード判定処理Ａのフローチャートである。
【図８】本発明の実施の形態２に係る符号化映像再生装置の構成を示すブロック図である。
【図９】本発明の実施の形態２に係る制御コマンドのデータ構造の一例を示す図である。
【発明を実施するための形態】
【００１７】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１８】
＜実施の形態１＞
本実施の形態では、要約すれば、ユーザー毎に過去の再生操作の使用頻度に基づいて、当該ユーザーにとって好適な再生モードを判別し、当該再生モードの自動設定を行う。このように構成することで、ユーザーの好みの再生モードが自動的に設定され後、番組再生を行うことができる。
【００１９】
図１は、本発明の実施の形態１に係る符号化映像再生装置１００の構成を示すブロック図である。符号化映像再生装置１００は、動作モードとして、番組（映像）の再生速度と該番組の再生区間との組み合わせで規定（定義）される複数種類の再生モードを有する。なお、本明細書において、番組とは、映像で表現される映像コンテンツであるとする。なお、図１には、説明の都合上、符号化映像再生装置１００に含まれない表示装置１１３および後述の操作端末１６０も示される。
【００２０】
図１を参照して、符号化映像再生装置１００は、システム制御部１０１と、デコーダブロック１１５と、メモリ部１２０と、操作受付部１３０とを含む。
【００２１】
システム制御部１０１は、符号化映像再生装置１００全体を統合的に制御する。デコーダブロック１１５は、映像・音声ストリームの記録または再生等を行う。デコーダブロック１１５は、システム制御部１０１からの指示（制御）に従って、ストリームの記録または再生を行う。
【００２２】
デコーダブロック１１５は、記録再生ドライブ部１０２と、放送受信部１０３と、ストリーム制御部１１０と、映像・音声デコーダ部１１１とを含む。
【００２３】
記録再生ドライブ部１０２は、情報を記憶する装置である。記録再生ドライブ部１０２は、例えば、ハードディスクドライブ（ＨＤＤ）である。記録再生ドライブ部１０２は、情報を記憶する（書き込む）処理、情報を読み出す処理等を行う。
【００２４】
記録再生ドライブ部１０２には、ストリーム、および当該ストリームの再生制御情報が記録されている。当該ストリームは、符号化映像ストリームおよび符号化音声ストリームを含む。符号化映像ストリームは、映像信号が、例えば、ＭＰＥＧ−２方式により符号化されたストリームである。すなわち、符号化映像ストリームは、符号化された映像が多重化されたストリームである。符号化音声ストリームは、音声信号が、例えば、ＡＣ−３方式により符号化されたストリームである。
【００２５】
再生制御情報は、属性情報、タイトル情報、ジャンル情報、再生開始時間情報と再生開始位置情報との対応関係を示す情報、番組リスト、ストリーム制御情報等を含む。
【００２６】
属性情報とは、記録再生ドライブ部１０２に記録されているストリームから分離された符号化映像・音声ストリームに関する映像または音声の属性の情報である。ジャンル情報とは、記録再生ドライブ部１０２に記録されている番組のジャンルである。再生開始時間情報とは、ストリームのアクセス単位での当該ストリームの再生を開始する時間である。ストリームのアクセス単位は、例えば、ＧＯＰ（Group Of Picture）単位である。
【００２７】
本実施の形態では、記録再生ドライブ部１０２が、ハードディスクドライブであるとして説明を行う。なお、記録再生ドライブ部１０２は、ハードディスクドライブに限定されず、光ディスクドライブ装置、ＳＤメディアドライブ等であってもよい。この場合、光ディスクまたはＳＤメディアには、ストリームおよび再生制御情報が記録されている。これらは、記録再生ドライブ部１０２により、読出しまたは書込みが行なわれる。
【００２８】
放送受信部１０３は、デジタル放送波を受信する。デジタル放送波には、符号化された番組（符号化映像）であるＭＰＥＧ−２  ＴＳ（Transport Stream）としてのストリームを含む。なお、デジタル放送波には、複数の番組（符号化映像）が多重化されていてもよい。この場合、放送受信部１０３は、特定の番組のストリームのみを抽出する。また、放送受信部１０３は、デジタル放送波により搬送される、番組に関するジャンル情報を抽出することもできる。
【００２９】
放送受信部１０３は、受信したデジタル放送波を復調してストリームを取得する。当該ストリームは、例えば、ＭＰＥＧ−２  ＴＳである。そして、放送受信部１０３は、当該ストリームを、ストリーム制御部１１０へ送信する。
【００３０】
ストリーム制御部１１０は、デコーダブロック１１５におけるストリームの流れを統括的に制御する。ストリーム制御部１１０は、放送受信部１０３から受信したストリームを、映像・音声デコーダ部１１１へ送信する。
【００３１】
ここで、本実施の形態における記録処理の流れについて説明する。
【００３２】
デジタル放送波を記録する場合、放送受信部１０３が受信したストリームはストリーム制御部１１０へ送信される。ストリーム制御部１１０は、システム制御部１０１からの指示に基づいて、受信したストリームを、ハードディスクドライブである記録再生ドライブ部１０２に記録させる。
【００３３】
ストリーム制御部１１０は、アクセス単位（ＧＯＰ単位）毎に、再生制御情報に含まれる再生開始時間情報、再生開始位置情報、および映像情報の属性情報、タイトル情報、記録番組のジャンル情報等を、システム制御部１０１に通知する。
【００３４】
その後、システム制御部１０１は、通知された当該再生制御情報を、記録再生ドライブ部１０２に対して逐次記録することで、記録動作が行われる。これにより、記録再生ドライブ部１０２には、ストリームと、当該ストリームに関連する再生制御情報とが対応づけて記録される。
【００３５】
次に本実施の形態における再生処理の流れについて説明する。
【００３６】
記録再生ドライブ部１０２に記録されたストリームを再生する場合、システム制御部１０１は、再生対象のストリームに関連する再生制御情報を、記録再生ドライブ部１０２からあらかじめ読み出しておく。
【００３７】
システム制御部１０１は、読み出した再生制御情報を即座に読み出せるように、該再生制御情報をメモリ部１２０に記録（格納）する。システム制御部１０１は、メモリ部１２０から当該再生制御情報を読み出し、周辺デバイスに対して再生準備を行うよう指示する。
【００３８】
その後、記録再生ドライブ部１０２は、該記録再生ドライブ部１０２に記録されたストリームを読み出し、該ストリームを、ストリーム制御部１１０を経由して、映像・音声デコーダ部１１１へ供給する。映像・音声デコーダ部１１１は、ストリームを逐次取得した後、該ストリームから、符号化映像ストリームおよび符号化音声ストリームを取り出す。
【００３９】
その後、映像・音声デコーダ部１１１は、符号化映像ストリームをデコード処理して映像信号を取得する。また、映像・音声デコーダ部１１１は、符号化音声ストリームを、デコード処理し、音声信号を取得する。その後、映像・音声デコーダ部１１１は、取得した映像信号および音声信号を、表示装置１１３へ送信する。表示装置１１３は、受信した映像信号に基づく映像を表示するとともに、受信した音声信号に基づく音声を出力する。
【００４０】
なお、映像・音声デコーダ部１１１は、必要に応じてシステム制御部１０１が生成する各種画像を、ＯＳＤ（On-Screen Display）機能により、取得した映像信号が示す映像に重畳して表示してもよい。システム制御部１０１が生成する各種画像は、例えば、警告のための画像、装置の動作状態を示す画像、機能を選択するための画像等である。
【００４１】
操作受付部１３０は、ユーザーによる操作を受け付ける。操作受付部１３０は、たとえば、ユーザーが操作可能なボタンを含む操作パネルである。この場合、操作受付部１３０は、符号化映像再生装置１００のフロントパネルに配置される。
【００４２】
なお、操作受付部１３０は、操作パネルに限定されず、たとえば、リモコンであってもよい。以下においては、ユーザーによる操作受付部１３０に対する操作を、ユーザー操作Ｍともいう。ユーザー操作Ｍは、例えば、デコーダブロック１１５に番組を再生させるための操作である。
【００４３】
操作受付部１３０は、ユーザー操作Ｍがあった場合、当該ユーザー操作Ｍの内容を示す操作情報を、システム制御部１０１へ送信する。
【００４４】
システム制御部１０１は、受信した操作情報を解釈し、当該操作情報に従った動作を行う。例えば、システム制御部１０１は、操作情報に従って、デコーダブロック１１５に、指定されたストリームの再生を行わせるよう、デコーダブロック１１５を制御する。
【００４５】
また、操作受付部１３０は、さらに、操作端末１６０と通信する機能を有する。操作端末１６０は、例えば、タブレット端末、携帯端末等である。操作端末１６０は、ユーザーによる操作を受け付ける。以下においては、ユーザーによる操作端末１６０に対する操作を、ユーザー操作ＭＴともいう。ユーザー操作ＭＴは、例えば、デコーダブロック１１５に番組を再生させるための操作である。以下においては、デコーダブロック１１５に番組を再生させるためのユーザー操作Ｍまたはユーザー操作ＭＴを、再生操作ともいう。
【００４６】
操作端末１６０は、符号化映像再生装置１００を制御するアプリケーションをあらかじめダウンロードしており、当該アプリケーションによって操作受付部１３０へ、操作情報（後述する制御コマンド）を送信する。これにより、操作端末１６０は、符号化映像再生装置１００の操作（制御）を行う。
【００４７】
例えば、操作端末１６０は、ユーザー操作ＭＴがあった場合、当該ユーザー操作ＭＴの内容を示す操作情報を、操作受付部１３０へ送信する。操作受付部１３０は、受信した操作情報を、システム制御部１０１へ送信する。
【００４８】
メモリ部１２０には、使用履歴情報１６１および登録端末情報１６２が記録（記憶）される。使用履歴情報１６１は、ユーザーが再生操作をした使用履歴等を示す。登録端末情報１６２は、操作受付部１３０が受信した制御コマンドを送信した操作端末１６０を識別するための情報である。
【００４９】
符号化映像再生装置１００は、複数の操作端末１６０（複数のユーザー）からの制御を受けることができる。
【００５０】
システム制御部１０１は、ユーザー特定部１５１と、使用履歴管理部１５２と、再生モード切替部１５３とを含む。詳細は後述するが、ユーザー特定部１５１は、メモリ部１２０から登録端末情報１６２を読み出す。また、ユーザー特定部１５１は、登録端末情報１６２により、操作受付部１３０が受信した操作情報（制御コマンド）を送信した操作端末１６０を操作するユーザーを特定する。
【００５１】
使用履歴管理部１５２は、使用履歴情報１６１を管理する。例えば、使用履歴管理部１５２は、符号化映像再生装置１００に対する再生操作があった場合、使用履歴情報１６１を更新する。また、例えば、使用履歴管理部１５２は、メモリ部１２０から使用履歴情報１６１を読み出して、ユーザーが好む再生モードを判定する。
【００５２】
再生モード切替部１５３は、詳細は後述するが、使用履歴管理部１５２の判定結果に基づいて、再生対象の番組の再生モードの切替え処理を行う。
【００５３】
なお、ユーザー特定部１５１、使用履歴管理部１５２、および再生モード切替部１５３は、システム制御部１０１が実行するファームウェアの一部として構成される。なお、これに限定されず、ユーザー特定部１５１、使用履歴管理部１５２、および再生モード切替部１５３は、ハードウエアとして構成されてもよい。また、ユーザー特定部１５１、使用履歴管理部１５２、および再生モード切替部１５３は、システム制御部１０１の外部に配置されてもよい。
【００５４】
図２は、メモリ部１２０に記録されている使用履歴情報１６１のデータ構造の一例を示す図である。図２を参照して、使用履歴情報１６１は、複数の再生操作レコード２００を示す。各再生操作レコード２００は、１つの再生操作に対応した再生情報である。すなわち、使用履歴情報１６１は、再生操作毎に区分けして管理されている。
【００５５】
再生操作レコード２００は、１つの番組が再生されている期間において最も長い時間使用されていた再生モード、および操作日時情報、再生操作を行ったユーザーなどの付帯情報が記録されものである。
【００５６】
具体的には、再生操作レコード２００は、履歴管理番号２１０、ユーザー情報２１１、再生速度情報２１２、再生区間情報２１３、ジャンル情報２１４、再生操作日情報２１５、再生時間帯情報２１６および再生番組コード２１７から構成されている。
【００５７】
履歴管理番号２１０は、再生操作レコード２００を一意に識別するための識別番号である。本実の形態では、使用履歴情報１６１には、一例として、最大で９９個の再生操作レコード２００が記録可能であるとする。なお、使用履歴情報１６１に、９９個の再生操作レコード２００が記録されていた場合、次に、使用履歴情報１６１に記録される再生操作レコード２００は、記録日時が一番古い再生操作レコード２００に上書きされる。
【００５８】
ユーザー情報２１１は、再生操作を行ったユーザーを特定する情報である。本実施の形態例では、識別ユーザー名が「父」、「母」、「兄」である３人のユーザーが、登録ユーザーであったとして説明を進める。識別ユーザー名とは、ユーザーを識別するための名称である。なお、図２の「Ｎ／Ａ」とは、ユーザーが特定できない場合の識別ユーザー名を示す。
【００５９】
再生速度情報２１２は、「通常速度（等倍速）」、「早見再生（×１．３）」、「早見再生（×１．５）」の３つにカテゴライズされている。「早見再生（×１．３）」とは、１．３倍速の音付早見再生であることを示す。本実施の形態では、早見再生の速度は、２種類としているが、これに限定されず、早見再生の速度は、３種類以上に細分化されてもよい。
【００６０】
再生区間情報２１３は、「全編再生」、「ＣＭカット再生」、「ハイライト再生」にカテゴライズされている。「全編再生」は、録画された番組の全区間が再生されたことを示している。なお「ハイライト再生」については、再生レベルを別途設定できるように構成しても構わない。
【００６１】
ジャンル情報２１４は、前述の再生制御情報が示す、再生対象の番組のジャンルを示す。再生操作日情報２１５は、再生操作の開始日である。すなわち、再生操作日情報２１５は、再生操作が行われた日である。再生時間帯情報２１６は、再生操作が行われた時間帯である。再生時間帯情報２１６は、一例として、時間帯「朝」「昼」「夕方」「夜」に分類されたコード情報を示す。再生番組コード２１７は、再生対象の番組を一意に特定するための識別情報である。
【００６２】
本実施の形態では、再生操作レコード２００には、再生操作単位において、最も長い時間使用された再生モードが設定（記録）されるものとして説明を進める。なお、再生モードの設定は、このように長時間使用した動作状態を記録しても良い。また、再生操作レコード２００には、当該再生操作単位の最後に使用していた再生モードが記録されてもよい。
【００６３】
図３は、メモリ部１２０に記録されている登録端末情報１６２のデータ構造の一例を示す図である。登録端末情報１６２は、操作端末１６０を操作しているユーザーを特定するための情報である。図３を参照して、登録端末情報１６２は、複数の登録端末レコード３００で構成される。本実施の形態では、登録端末情報１６２には、最大で８個の登録端末レコード３００を記録可能であるとする。図３は、一例として、有効な３個の登録端末レコード３００が記録されている登録端末情報１６２を示す。
【００６４】
登録端末レコード３００は、操作端末１６０等を利用して、符号化映像再生装置１００を制御可能な登録ユーザーに関する情報である。登録端末レコード３００は、登録管理番号３１０、登録端末名情報３１１、登録ユーザー情報３１２、端末ＭＡＣアドレス３１３から構成される。
【００６５】
登録管理番号３１０は、登録端末レコード３００を一意に特定するための識別番号である。登録端末名情報３１１および登録ユーザー情報３１２は、操作端末１６０を識別するための名前（名称）である。具体的には、登録端末名情報３１１は、ユーザーが操作端末を認識しやすいように付与される名前（名称）である。また、登録ユーザー情報３１２は、操作端末１６０を保有しているユーザーを示す。すなわち、登録ユーザー情報３１２により、操作端末１６０に対して、どのユーザーが割り付けられているかがわかる。本実施の形態では、一例として、識別ユーザー名が「父」「母」「兄」である３人のユーザーが、登録された登録ユーザーである。
【００６６】
端末ＭＡＣアドレス３１３は、操作端末１６０のネットワークインターフェースが持つコード番号である。端末ＭＡＣアドレス３１３は、６バイトの長さを持つ情報で表現される。このコード番号は、世界でユニークな番号に設定されるように付与されており、操作端末１６０を一意に特定するために用いられる。すなわち、端末ＭＡＣアドレス３１３は、操作端末１６０を特定するためのアドレスである。
【００６７】
なお、登録端末レコード３００は、符号化映像再生装置１００を制御するために、あらかじめ設定される。この登録端末レコード３００によって、意図しない操作端末１６０による、符号化映像再生装置１００の制御を防ぐことができる。また、登録端末情報１６２を更新する際に、登録端末名情報３１１および登録ユーザー情報３１２を設定しておくことで、以後、操作端末１６０に対し操作が行われた場合、誰が操作したかをグラフィカルに視認することができる。
【００６８】
図４は、制御コマンド４００のデータ構造の一例を示す図である。制御コマンド４００は、操作端末１６０が符号化映像再生装置１００の制御を行うためのコマンドである。制御コマンド４００は、どの操作端末１６０がどのような操作を行ったかを示すコマンドである。図４に示すように、制御コマンド４００は、機器ＩＤ４０１、操作コマンド４０２およびオペランド４０３から構成される。
【００６９】
機器ＩＤ４０１は、機器（操作端末１６０）を一意に識別するための情報である。機器ＩＤ４０１は、一例として、端末ＭＡＣアドレスで表現される。端末ＭＡＣアドレスとは、端末のＭＡＣアドレスである。なお、機器ＩＤ４０１は、操作端末を一意に識別できればよく、端末ＭＡＣアドレス以外の識別コードで表現されてもよい。
【００７０】
操作コマンド４０２は、例えば、「再生」「停止」「早送り」「早戻し」「一時停止」「早見再生」のような操作コードで表現される。オペランド４０３には、当該操作コードの対象オブジェクトが示される。
【００７１】
ここで、一例として、操作コマンド４０２が「再生」であるとする。この場合、オペランド４０３は再生対象の番組の「再生番組コード」を示す。このように構成された制御コマンド４００は、再生番組コードで特定される番組を、通常再生するといった命令（コマンド）である。
【００７２】
次に、再生操作が行われた場合に行われる処理（以下、再生操作対応処理ともいう）について説明する。
【００７３】
図５は、再生操作対応処理のフローチャートである。
【００７４】
ここで、一例として、ユーザーＡが、操作端末１６０に対し、ある番組を再生させるためのユーザー操作ＭＴを行ったとする。すなわち、ユーザーＡが、符号化映像再生装置１００に、番組を再生させるための再生操作を操作端末１６０に対し行ったとする。以下においては、再生操作により再生対象となる番組を、再生対象番組ともいう。再生対象番組は、外部のレコーダー等に録画（記録）された番組である。なお、再生対象番組は、上記に限定されず、リアルタイムで放送されている番組であってもよい。
【００７５】
この場合、操作端末１６０は、制御コマンド４００のデータ形式の再生指示を、操作受付部１３０へ送信する。具体的には、操作端末１６０は、操作コマンド４０２が「再生」である制御コマンド４００（再生指示）を、操作受付部１３０へ送信する。操作受付部１３０は、受信した制御コマンド４００を、システム制御部１０１へ送信する。システム制御部１０１は、受信した制御コマンド４００により特定される再生対象番組を、デコーダブロック１１５に再生させる制御を行う。デコーダブロック１１５は、当該制御に応じて、再生対象番組を再生する。その後、ステップＳ１０１の処理が行われる。
【００７６】
なお、操作受付部１３０が、ユーザーにより行われた再生モードを切替えるための操作を示す制御コマンド４００を受信する毎に、再生操作対応処理とは独立して、再生モード切替処理が行われる。再生モードを切替えるための操作を示す制御コマンド４００は、切替え後の再生モードを示す。
【００７７】
前述したように、再生モードとは、番組の再生速度と該番組の再生区間との組み合わせで規定されるモードである。以下においては、再生モードを切替えるための操作を、再生切替操作ともいう。再生切替操作は、例えば、再生対象番組の再生速度を、通常速度の１．３倍にするための操作である。再生切替操作は、例えば、図２で説明した、再生対象番組の再生区間を変更するための操作である。
【００７８】
再生切替操作が行われた場合、デコーダブロック１１５の再生モードは切り替わる。デコーダブロック１１５は、番組の再生速度と該番組の再生区間との組み合わせで規定される複数種類の再生モードのいずれかで該番組を再生する。
【００７９】
再生モード切替処理では、操作受付部１３０が、受信した制御コマンド４００を、システム制御部１０１へ送信する。システム制御部１０１は、受信した制御コマンド４００が示す再生モードで、デコーダブロック１１５が再生対象番組を再生するよう、デコーダブロック１１５を制御する。制御コマンド４００が示す再生モードは、例えば、図２において、履歴管理番号２１０が「ＮＯ＿０５」である再生操作レコード２００に対応する、「早見再生（×１．３）」と「全編再生」とで規定される再生モードである。これにより、システム制御部１０１は、デコーダブロック１１５の再生モードを切替える。
【００８０】
ステップＳ１０１では、ユーザーの特定が行われる。具体的には、ユーザー特定部１５１は、受信した制御コマンド４００の機器ＩＤ４０１と、登録端末情報１６２内の端末ＭＡＣアドレス３１３とを比較し、当該制御コマンド４００（再生指示）が、どのユーザー（操作端末１６０）からの再生指示であるかを判定する。
【００８１】
さらに具体的には、ユーザー特定部１５１は、登録端末情報１６２が示す複数の端末ＭＡＣアドレス３１３のうち、受信した制御コマンド４００の機器ＩＤ４０１（端末ＭＡＣアドレス）と一致する端末ＭＡＣアドレス３１３を示す登録端末レコード３００を抽出する。そして、ユーザー特定部１５１は、抽出した登録端末レコード３００の登録ユーザー情報３１２が示す「登録ユーザー」を、符号化映像再生装置１００に番組を再生させるための再生操作を行ったユーザーとして特定する。なお、ユーザーの特定方法は、上記方法に限定されず、他の方法であってもよい。
【００８２】
制御コマンド４００中の操作コマンド４０２が再生命令であることが判定されると、オペランド４０３が読み出される。具体的には、使用履歴管理部１５２は、受信した制御コマンド４００の操作コマンド４０２が「再生」を示す場合、当該制御コマンド４００のオペランド４０３を読み出す。そして、使用履歴管理部１５２は、オペランド４０３が示す再生番組コードにより特定される番組を、再生対象番組として特定する。
【００８３】
その後、使用履歴管理部１５２は、特定した再生対象番組に対応する再生制御情報を、メモリ部１２０から読み出し、該再生制御情報が示すタイトル情報およびジャンル情報等を取得する（ステップＳ１０２）。なお、タイトル情報およびジャンル情報を取得する方法は、上記方法に限定されず、他の方法であってもよい。
【００８４】
次に、使用履歴管理部１５２は、図示しない時刻取得部から、現在時刻を取得する（ステップＳ１０３）。当該時刻取得部は、随時、現在の時刻を計測している。時刻取得部は、符号化映像再生装置１００内または符号化映像再生装置１００外のいずれにあってもよい。
【００８５】
次に、ステップＳ１０４において、再生モード判定処理が行われる。再生モード判定処理は、現在、符号化映像再生装置１００を操作しているユーザーに好適な再生モードを、過去の操作履歴から割り出し、再生開始時に該再生モードを自動設定する処理である。ステップＳ１０４の詳細な処理は後述する。
【００８６】
デコーダブロック１１５により、指定番組（再生対象番組）の再生が開始された後、システム制御部１０１は、再生対象番組の再生が停止されたか否かを判定する（Ｓ１０５）。再生対象番組の再生が停止されるまで、処理はステップＳ１０６に遷移して、処理が継続される。
【００８７】
ステップＳ１０６では、再生時間が所定時間以上になったか否かが判定される。具体的には、使用履歴管理部１５２が、再生対象番組の再生が開始されてから現在の時刻までの時間（再生時間）が、所定時間以上であるか否かを判定する。当該所定時間は、例えば、５分である。
【００８８】
ステップＳ１０６において、ＹＥＳならば、処理はステップＳ１０７に移行する。すなわち、再生時間が５分以上となった場合、処理はステップＳ１０７に移行する。一方、ステップＳ１０６において、ＮＯならば、再度、ステップＳ１０５の処理が行われる。すなわち、再生時間が５分未満の場合は、処理はステップＳ１０５に遷移し、処理が継続される。ここで、再生時間が所定時間以上になったとして、処理はステップＳ１０７に移行する。
【００８９】
ステップＳ１０７では、使用時間計測処理が行われる。使用時間計測処理では、使用履歴管理部１５２が、再生モード（動作モード）毎の使用時間の計測を開始する。再生モード毎の使用時間とは、前述の再生モード切替処理により切り替わった再生モードが継続した時間である。再生モードの使用時間は、例えば、図２に示される「早見再生（×１．３）」と「全編再生」とで規定される再生モードが継続した時間である。
【００９０】
なお、再生モード毎の使用時間の計測は、例えば、所定時間毎にポーリングして情報を収集することにより行われてもよい。また、再生モード毎の使用時間の計測は、再生モードの切替処理に合わせて情報を収集することにより行われてもよい。
【００９１】
再生対象番組の再生が停止されると、ステップＳ１０５でＹＥＳと判定され、処理はステップＳ１０８に移行する。
【００９２】
ステップＳ１０８では、使用履歴情報更新処理が行われる。使用履歴情報更新処理では、使用履歴管理部１５２が、使用履歴情報１６１に、新規で再生操作レコード２００を追加（記録）する。すなわち、使用履歴情報更新処理では、使用履歴管理部１５２は、再生操作がある毎に、複数種類の再生モードのうち該再生操作に対応する再生モードを示す再生情報（再生操作レコード２００）を使用履歴情報１６１に記録する。
【００９３】
追加される再生操作レコード２００を構成する各情報は、使用履歴情報１６１により設定される。例えば、再生操作レコード２００のユーザー情報２１１には、ステップＳ１０１で特定されたユーザー（再生操作を行ったユーザー）が記録される。
【００９４】
また、例えば、再生操作レコード２００の再生速度情報２１２および再生区間情報２１３は、以下のように設定される。まず、使用履歴管理部１５２は、ステップＳ１０７の処理により計測された、再生モード毎の使用時間を参照し、最も使用時間が長い再生モードを特定する。そして、使用履歴管理部１５２は、特定した再生モードを規定する「再生速度」および「再生区間」を、それぞれ、再生速度情報２１２および再生区間情報２１３に記録する。これにより、再生操作レコード２００は、再生速度情報２１２および再生区間情報２１３で規定される再生モードを示す。
【００９５】
また、例えば、ジャンル情報２１４は、ステップＳ１０２で取得されたジャンル情報が設定される。すなわち、再生指示が行われた番組の再生制御情報から、再生対象番組のジャンル情報を抽出し、再生操作レコード２００に記録される。
【００９６】
また、再生番組コード２１７には、受信した制御コマンド４００のオペランド４０３が示す再生番組コードが設定される。
【００９７】
また、再生操作日情報２１５および再生時間帯情報２１６は、ステップＳ１０３で取得された現在時刻に基づいて設定される。例えば、当該現在時刻が午前９時である場合、再生時間帯情報２１６は、「朝」と設定される。また、再生操作日情報２１５は、現在時刻が取得されたときの日付が設定される。
【００９８】
以上により、ステップＳ１０８の処理は終了し、再生操作対応処理は終了する。
【００９９】
なお、上記で説明した再生操作対応処理では、番組の再生終了時に再生操作レコード２００を記録していたが、これに限定されない。例えば、ステップＳ１０７の更新タイミングで、再生操作レコード２００の記録処理を行なっても構わない。
【０１００】
次に、ステップＳ１０４の再生モード判定処理について詳細に説明する。図６は、再生モード判定処理のフローチャートである。
【０１０１】
ステップＳ２０１では、再生操作が登録ユーザーにより行われた操作であるか否かが判定される。少し具体的には、ユーザー特定部１５１が、再生操作に基づく制御コマンド４００が、登録端末情報１６２に登録されている、登録端末名情報３１１が示す端末名の操作端末１６０（登録ユーザー）から送信されたか否かを判定する。
【０１０２】
具体的には、ユーザー特定部１５１は、登録端末情報１６２が示す複数の端末ＭＡＣアドレス３１３のうち、受信した制御コマンド４００の機器ＩＤ４０１（端末ＭＡＣアドレス）と一致する端末ＭＡＣアドレス３１３があるか否かを判定する。
【０１０３】
ステップＳ２０１において、ＹＥＳならば、処理はステップＳ２０２に移行する。一方、ステップＳ２０１において、ＮＯならば、この再生モード判定処理は終了し、処理は図５のステップＳ１０５に移行する。すなわち、再生モードの自動設定が行われずに、再生モード判定処理は終了する。
【０１０４】
ステップＳ２０２では、使用履歴管理部１５２が、メモリ部１２０から使用履歴情報１６１を読み込む。
【０１０５】
ステップＳ２０３では、再生タイトルが履歴にあるか否かが判定される。具体的には、使用履歴管理部１５２が、使用履歴情報１６１において、再生対象番組の再生番組コードと同じ再生番組コードが記録されている再生操作レコード２００が存在するか否かを判定する。
【０１０６】
以下においては、再生対象番組の再生番組コードと同じ再生番組コードが記録されている再生操作レコード２００を、一致再生操作レコードともいう。
【０１０７】
ステップＳ２０３において、ＹＥＳならば、処理はステップＳ２０４に移行する。一方、ステップＳ２０３において、ＮＯならば、処理はステップＳ２０５に移行する。
【０１０８】
ステップＳ２０４では、最新の履歴の再生モードが選択される。まず、全ての一致再生操作レコードのうち一番日時が新しい一致再生操作レコードのみが読み出される。具体的には、使用履歴管理部１５２が、全ての一致再生操作レコードのうち、再生操作日が最新の一致再生操作レコードを読み出す。そして、使用履歴管理部１５２は、読み出した一致再生操作レコードが示す再生速度情報２１２および再生区間情報２１３を選択する。すなわち、使用履歴管理部１５２は、再生速度情報２１２および再生区間情報２１３により規定される再生モードを選択する。そして、処理はステップＳ２０９に移行する。
【０１０９】
ステップＳ２０３において、ＮＯの場合、すなわち、過去に、再生対象番組と同一の番組が再生されたことがないと判定された場合、処理はステップＳ２０５に移行する。
【０１１０】
ステップＳ２０５では、ユーザーおよびジャンルが一致するレコードが履歴にあるか否かが判定される。具体的には、使用履歴管理部１５２が、使用履歴情報１６１において、ステップＳ１０１で特定された「登録ユーザー」と、再生対象番組の「ジャンル」とを示す再生操作レコード２００が存在するか否かを判定する。以下においては、ステップＳ１０１で特定された「登録ユーザー」と、再生対象番組の「ジャンル」とを示す再生操作レコード２００を、一致再生操作レコードＡともいう。一致再生操作レコードＡは、ステップＳ１０１で特定されたユーザーが最も高い頻度で指定した再生モードを示す。
【０１１１】
ここで、特定された登録ユーザーが「父」であり、再生対象番組のジャンルが「ニュース」であるとする。この場合、一致再生操作レコードＡは、履歴管理番号２１０が「ＮＯ＿０１」の再生操作レコード２００である。
【０１１２】
ステップＳ２０５において、ＹＥＳならば処理はステップＳ２０７に移行する。一方、ステップＳ２０５において、ＮＯならば処理はステップＳ２０６に移行する。ステップＳ２０５でＮＯの場合は、ユーザーおよびジャンルが一致する再生操作レコード（一致再生操作レコードＡ）が使用履歴情報１６１にない場合である。
【０１１３】
ステップＳ２０６では、デフォルトの再生モードが選択される。デフォルトの再生モードとは、予め設定された再生モードである。デフォルトの再生モードは、符号化映像再生装置１００の機器設定メニューなどで、過去の使用履歴と類似する再生操作レコード２００がなかった場合に使用される再生モードである。デフォルトの再生モードは、例えば、再生速度情報「通常速度」と、再生区間情報「ＣＭカット再生」とで規定される再生モードである。
【０１１４】
以下においては、再生速度情報と再生区間情報とで規定される再生モードを、「再生速度情報／再生区間情報」と表現する。例えば、上記のデフォルトの再生モードは、「通常速度／ＣＭカット再生」と表現される。
【０１１５】
ステップＳ２０７では、全ての一致レコードが抽出される。具体的には、使用履歴管理部１５２が、使用履歴情報１６１から、全ての一致再生操作レコードＡを抽出する。
【０１１６】
ステップＳ２０８では、時間帯が一致する最新レコードの再生モードが選択される。具体的には、使用履歴管理部１５２は、抽出した全ての一致再生操作レコードＡのうち、取得された現在時刻に対応する時間帯を示す一致再生操作レコードＡを選択する。ここで、一例として、現在時刻が１３時であるとする。この場合、現在時刻に対応する時間帯は、「昼」である。
【０１１７】
そして、使用履歴管理部１５２は、選択した一致再生操作レコードＡのうち、最も新しい再生操作日を示す一致再生操作レコードＡが示す再生速度情報２１２および再生区間情報２１３を選択する。すなわち、使用履歴管理部１５２は、選択した一致再生操作レコードＡのうち、最も新しい再生操作日を示す一致再生操作レコードＡが示す再生速度情報２１２および再生区間情報２１３により規定される再生モードを選択する。
【０１１８】
なお、ステップＳ２０７で抽出された一致再生操作レコードＡが１つの場合、使用履歴管理部１５２は、上記処理の代わりに、当該抽出された１つの一致再生操作レコードＡが示す再生速度情報２１２および再生区間情報２１３により規定される再生モードを選択する。
【０１１９】
以上のステップＳ２０７，Ｓ２０８の処理により、再生操作に対応する再生対象番組に対しユーザー特定部１５１により特定されたユーザーが過去の期間において最も高い頻度で指定した再生モードが選択される。
【０１２０】
すなわち、ステップＳ２０５でＹＥＳと判定され、ステップＳ２０７〜Ｓ２０８の処理が行われることにより、使用履歴管理部１５２は、使用履歴情報１６１に基づいて、複数種類の再生モードのうち、再生操作に対応する再生対象番組に対しユーザー特定部１５１により特定されたユーザーが過去の期間において最も高い頻度で指定した再生モードを選択する。
【０１２１】
ステップＳ２０９では、自動で再生モードを設定するための再生モード設定処理が行われる。再生モード設定処理では、再生モード切替部１５３が、使用履歴管理部１５２により選択された再生モードを、デコーダブロック１１５に対し設定する。すなわち、再生モード切替部１５３は、選択された再生モードを、符号化映像再生装置１００に対し設定する。
【０１２２】
具体的には、再生モード切替部１５３が、使用履歴管理部１５２により選択された再生モードで、デコーダブロック１１５が再生対象番組を再生するよう、デコーダブロック１１５を制御する。
【０１２３】
これにより、符号化映像再生装置１００（デコーダブロック１１５）は、設定された再生モードで、特定されたユーザーが行った再生操作に対応する該番組を再生する。例えば、設定された、デコーダブロック１１５の再生モードが、「早見再生（×１．３）／ＣＭカット再生」である場合、デコーダブロック１１５は、ＣＭ部分を除いて、再生対象番組を１．３倍速で再生する。以上により、再生モード判定処理は終了する。再生モード判定処理が終了すると、処理は前述のステップＳ１０５に移行する。
【０１２４】
以上説明したように、本実施の形態によれば、使用履歴管理部１５２は、使用履歴情報１６１に基づいて、複数種類の再生モードのうち、再生操作に対応する番組に対しユーザー特定部１５１により特定されたユーザーが過去の期間において最も高い頻度で指定した再生モードを選択する。再生モード切替部１５３は、選択された再生モードを、符号化映像再生装置１００（デコーダブロック１１５）に対し設定する。符号化映像再生装置１００（デコーダブロック１１５）は、設定された再生モードで、特定されたユーザーが行った再生操作に対応する該番組を再生する。
【０１２５】
これにより、ユーザーに手間をかけることなく、ユーザーに好適な再生モードで番組を再生することができる。
【０１２６】
また、本実施の形態によれば、再生指示があった番組に対して、ユーザーの使用頻度が高い再生モードに自動設定することができる。そのため、再生の都度、再生モードを手動で切替る必要がなく、面倒な手間をユーザーに負担させることを削減することができる。
【０１２７】
また、本実施の形態によれば、ユーザー個々の過去の視聴履歴情報（使用履歴情報１６１）から、ユーザーにとって好適な再生モードを自動で判別する。そして、当該再生モードに切替えて自動的に番組を再生する。その結果、煩雑な操作をユーザーに強いることはない。すなわち、煩雑な操作を必要としない。すなわち、ユーザーに手間をかけることなく、ユーザーに好適な再生モードで番組を再生することができる。
【０１２８】
また、本実施の形態によれば、煩雑な操作を必要とせずに、ユーザーにとって好適な再生モードに自動的に切替えて、番組の再生を行うことができる符号化映像再生装置を提供することができる。また符合化映像再生装置の機器使用確率は、過去の所定の再生操作の使用頻度に基づいて自動更新される。そのため、ユーザーに対し、特段の設定を行うなどの手間をかける必要がないといった効果を奏する。
【０１２９】
＜実施の形態１の変形例＞
実施の形態１では、再生モードを規定する再生速度および再生区間だけを自動的に切替える処理の例を説明した。本施の形態１の変形例では、さらに、音量、音声の種類、画質等の設定を示す再生環境パラメータを、再生操作レコード２００に記録する。再生環境パラメータを再生操作レコード２００に記録する処理は、例えば、前述の再生モード切替処理において、再生モードの切替えの直後に行うようにする。すなわち、本施の形態１の変形例では、再生モードの設定とともに、再生環境の設定も行われる。
【０１３０】
なお、本実施の形態の変形例では、実施の形態１と同様、再生操作対応処理が行われる。再生環境パラメータの記録と、再生操作対応処理のステップＳ１０８とにより、ユーザー特定部１５１により特定されたユーザーが行った再生操作に対応する再生情報（再生操作レコード２００）は、少なくとも音量および画質の設定を示す再生環境パラメータをさらに示す。
【０１３１】
本実施の形態の変形例では、再生環境パラメータを示す再生操作レコード２００が記録された使用履歴情報１６１を使用して、以下の再生モード判定処理Ａが行われる。
【０１３２】
図７は、再生モード判定処理Ａのフローチャートである。図７において、図６のステップ番号と同じステップ番号の処理は、実施の形態１で説明した処理と同様な処理が行われるので詳細な説明は繰り返さない。以下、実施の形態１と異なる点を中心に説明する。
【０１３３】
ステップＳ２０９の処理の後、ステップＳ２１０Ａの処理が行われる。
【０１３４】
ステップＳ２１０Ａでは、再生環境設定処理が行われる。再生環境設定処理では、再生モード切替部１５３は、再生情報（再生操作レコード２００）が示す再生環境パラメータを、設定された再生モードで再生対象とされる再生対象番組の再生のパラメータとして、デコーダブロック１１５に対し設定する。
【０１３５】
ステップＳ２０９，Ｓ２１０Ａが行われることにより、符号化映像再生装置１００（デコーダブロック１１５）は、設定された再生モードで、再生操作に対応する該番組を、設定された再生環境パラメータに従って再生する。
【０１３６】
ここで、例えば、再生環境パラメータが、音量“１０”を示すとする。この場合、デコーダブロック１１５は、再生対象番組の音声の音量を“１０”に設定して、当該再生対象番組を再生する。
【０１３７】
以上、本実施の形態の変形例によれば、再生モードだけではなく、音量、音声の種類、画質等の設定等を示す再生環境パラメータ、再生操作レコード２００に記録する。そして、再生モード判定処理Ａが行われることにより、再生指示があった番組に対して、ユーザーの使用頻度が高い再生環境を自動設定することができる。そのため、再生の都度、再生環境の設定を手動で切替る必要がなく、面倒な手間をユーザーに負担させることを削減することができる。
【０１３８】
＜実施の形態２＞
実施の形態１では、符号化映像再生装置１００に再生操作の履歴（使用履歴情報）を保持させた構成の処理の例を説明した。本実施の形態では、操作端末１６０に再生操作の履歴（使用履歴情報）を保持しておく構成について説明する。例えば、操作端末で「好みの再生モードで再生」するようコマンド変換を行った後、当該コマンドを、符号化映像再生装置１００へ送信する。
【０１３９】
このように構成することで、再生操作履歴（使用履歴情報）を操作端末で集中管理することができる。そのため、複数の符号化映像再生装置に対しても、同じ操作感覚で、再生モードの自動制御を行うことができる。以下、詳細に説明する。
【０１４０】
図８は、本発明の実施の形態２に係る符号化映像再生装置１００Ａの構成を示すブロック図である。なお、図８には、説明の都合上、符号化映像再生装置１００Ａに含まれない表示装置１１３および操作端末１６０も示される。操作端末１６０は、符号化映像再生装置１００Ａを制御する端末である。
【０１４１】
本実施の形態では、図２、図５、図６、図８および図９が説明の対象の図である。なお、本実施の形態において、実施の形態１と機能が同じものは、同じ記号を付与する。本実施の形態の主要シーケンスである、図５および図６は、処理対象が操作端末１６０であるだけで、図５および図６の基本的な処理は、実施の形態で説明した処理と同様であるため、詳細な説明を省略する。
【０１４２】
符号化映像再生装置１００Ａは、図１の符号化映像再生装置１００と比較して、システム制御部１０１の代わりにシステム制御部１０１Ａを備える点が異なる。符号化映像再生装置１００Ａのそれ以外の構成および機能は、符号化映像再生装置１００と同様なので詳細な説明は繰り返さない。
【０１４３】
システム制御部１０１Ａは、システム制御部１０１と比較して、ユーザー特定部１５１と、使用履歴管理部１５２および再生モード切替部１５３を含まない点が異なる。システム制御部１０１Ａのそれ以外の構成および機能は、システム制御部１０１と同様なので詳細な説明は繰り返さない。
【０１４４】
本実施の形態では、実施の形態１で説明したユーザー特定部１５１、使用履歴管理部１５２、再生モード切替部１５３および使用履歴情報１６１の責務は、符号化映像再生装置から操作端末１６０に移している。すなわち、実施の形態１で説明したユーザー特定部１５１、使用履歴管理部１５２、再生モード切替部１５３および使用履歴情報１６１は、符号化映像再生装置の代わりに、操作端末１６０で使用される。
【０１４５】
その結果、符号化映像再生装置１００Ａ内のシステム制御部１０１Ａとメモリ部１２０は、本発明の特徴となる処理を行わなくても良い。一方で、操作端末１６０が、本発明の特徴となる処理を実行することになる。
【０１４６】
なお、実施の形態１で説明した登録端末情報１６２は、符号化映像再生装置１００Ａで操作端末１６０の識別を行う必要がないため、除外している。
【０１４７】
実施の形態２に係る操作端末１６０は、ユーザー特定部１５１と、使用履歴管理部１５２と、再生モード切替部１５３と、使用履歴情報１６１とを含む。
【０１４８】
また、本実施の形態における使用履歴情報１６１の基本的なデータ構造は、実施の形態１で説明した図２の使用履歴情報１６１と同一である。そのため、使用履歴情報１６１の説明を省略する。本実施の形態において、再生操作履歴の記録管理方法および再生操作履歴から好みの再生モードを抽出する基本的な処理方法は、実施の形態１と同様である。
【０１４９】
なお、本実施の形態の操作端末１６０は、図４の制御コマンド４００の代わりに図９に示す制御コマンド８００を、操作受付部１３０（符号化映像再生装置１００Ａ）へ送信する。
【０１５０】
図９は、本発明の実施の形態２に係る制御コマンド８００のデータ構造の一例を示す図である。実施の形態１の制御コマンド４００では、操作端末１６０を識別するための機器ＩＤ４０１が付与されていた。しかしながら、本実施の形態では、図９に示すように、制御コマンド８００は、機器ＩＤ４０１を除外したデータ構造を有する。すなわち、制御コマンド８００は、制御コマンド４００と比較して、機器ＩＤ４０１を含まない点が異なる。
【０１５１】
次に、本実施の形態において、再生操作が行われた場合に行われる、図５の再生操作対応処理について説明する。なお、符号化映像再生装置１００Ａのシステム制御部１０１Ａは、前述の再生制御情報を随時、操作端末１６０へ送信しているとする。
【０１５２】
ここで、一例として、ユーザーＡが、操作端末１６０に対し、ある番組を再生させるためのユーザー操作ＭＴを行ったとする。すなわち、ユーザーＡが、符号化映像再生装置１００Ａに番組を再生させるための再生操作を操作端末１６０に対し行ったとする。なお、ユーザーＡは、事前に、操作端末１６０に対し、例えば、パスワードを利用してユーザー認証するための操作を行っているとする。
【０１５３】
以上の条件において、再生操作が行われた場合、操作端末１６０は、再生指示を示す制御コマンド８００を、操作受付部１３０を介してシステム制御部１０１Ａへ送信する。システム制御部１０１Ａは、実施の形態１と同様、受信した制御コマンド８００により特定される再生対象番組を、デコーダブロック１１５に再生させる制御を行う。デコーダブロック１１５は、当該制御に応じて、再生対象番組を再生する。その後、ステップＳ１０１の処理が行われる。
【０１５４】
なお、操作受付部１３０が、ユーザーにより行われた再生モードを切替えるための操作を示す操作コマンド４０２を受信する毎に、再生操作対応処理とは独立して、実施の形態１と同様、符号化映像再生装置１００Ａにおいて再生モード切替処理が行われる。
【０１５５】
本実施の形態において、図５のステップＳ１０１では、ユーザー特定部１５１が、符号化映像再生装置１００Ａに番組を再生させるための再生操作を操作端末１６０に対し行ったユーザーを特定する。特定されたユーザーは、前述のユーザー認証の操作を行ったユーザーである。
【０１５６】
ステップＳ１０２では、使用履歴管理部１５２が、再生対象番組に対応する再生制御情報が示すタイトル情報およびジャンル情報等を取得する。
【０１５７】
次に、使用履歴管理部１５２は、図示しない時刻取得部から、現在時刻を取得する（ステップＳ１０３）。当該時刻取得部は、随時、現在の時刻を計測している。時刻取得部は、操作端末１６０内または操作端末１６０外のいずれにあってもよい。
【０１５８】
そして、実施の形態１と同様、ステップＳ１０４〜Ｓ１０８の処理が行われる。ステップＳ１０８の処理により、使用履歴管理部１５２は、再生操作がある毎に、複数種類の再生モードのうち該再生操作に対応する再生モードを示す再生情報（再生操作レコード２００）を使用履歴情報１６１に記録する。
【０１５９】
次に、本実施の形態におけるステップＳ１０４の再生モード判定処理について詳細に説明する。本実施の形態の再生モード判定処理では、ステップＳ２０１の処理は行われない。
【０１６０】
ステップＳ２０２では、使用履歴管理部１５２が、使用履歴情報１６１を読み込む。
【０１６１】
ステップＳ２０３〜Ｓ２０８では、実施の形態１と同様な処理が行われる。ステップＳ２０５でＹＥＳと判定され、ステップＳ２０７〜Ｓ２０８の処理が行われることにより、使用履歴管理部１５２は、使用履歴情報１６１に基づいて、複数種類の再生モードのうち、再生操作に対応する再生対象番組に対しユーザー特定部１５１により特定されたユーザーが過去の期間において最も高い頻度で指定した再生モードを選択する。
【０１６２】
ステップＳ２０９では、再生モード切替部１５３が、選択された前記再生モードを、符号化映像再生装置１００Ａに対し設定する。具体的には、再生モード切替部１５３は、特定されたユーザーが行った再生操作に対応する該番組を選択された再生モードで符号化映像再生装置１００Ａに再生させる制御コマンド８００を、符号化映像再生装置１００Ａ（システム制御部１０１Ａ）へ送信する。
【０１６３】
ここで、一例として、ユーザーが、操作端末１６０に対し、番組の再生指示（通常再生指示）のための操作が行われたとする。また、当該ユーザーの好みの再生モードが「早見再生（×１．３）／ＣＭカット再生」であるとする。
【０１６４】
この場合、ステップＳ２０９では、再生モード切替部１５３は、再生モード「早見再生（×１．３）／ＣＭカット再生」を、符号化映像再生装置１００Ａ（デコーダブロック１１５）に対し設定するための制御コマンド８００を生成する。すなわち、操作端末１６０において、再生指示がコマンドに変換される。そして、再生モード切替部１５３は、生成した制御コマンド８００を符号化映像再生装置１００Ａ（システム制御部１０１Ａ）へ送信する。
【０１６５】
システム制御部１０１Ａは、受信した制御コマンド８００に従って、特定されたユーザーが行った再生操作に対応する該番組を選択された再生モードでデコーダブロック１１５に再生させる。
【０１６６】
以上説明したように、本実施の形態においても、実施の形態１と同様な効果が得られる。すなわち、ユーザーに手間をかけることなく、ユーザーに好適な再生モードで番組を再生することができる。
【０１６７】
また、本実施の形態によれば、再生操作履歴（使用履歴情報１６１）を操作端末１６０で集中管理することができる。すなわち、操作端末１６０において、再生履歴を一元管理する。また、コマンドの送信側である操作端末１６０が、ユーザーから受付けた指示をコマンドに変更し、該コマンドを送信する。そのため、操作端末１６０が、複数の符号化映像再生装置に対して通信可能な環境においても、符号化映像再生装置が１台の場合と同じ操作感覚で、再生モードの自動制御を行うことができる。
【０１６８】
なお、本実施の形態に係る操作端末１６０は、再生モード判定処理の代わりに、実施の形態１の変形例の再生モード判定処理Ａを行ってもよい。なお、再生モード判定処理ＡにおけるステップＳ２０１〜Ｓ２０９の処理は、本実施の形態で説明した処理と同様な処理が行われる。なお、ステップＳ２０９では、前述の制御コマンドに対し、さらに、再生環境パラメータが設定され、当該制御コマンドが送信される。
【０１６９】
この場合、実施の形態１の変形例と同様な効果が得られる。すなわち、ユーザーの使用頻度が高い再生環境を自動設定することができる。そのため、再生の都度、再生環境の設定を手動で切替る必要がなく、面倒な手間をユーザーに負担させることを削減することができる。
【０１７０】
なお、１人のユーザが操作端末１６０を専有する場合、操作端末１６０は、ユーザー特定部１５１を備えなくてもよい。しかしながら、１台の操作端末１６０を複数のユーザーが使用する場合には、ユーザーの特定が必要なため、ユーザー特定部１５１は必要である。
【０１７１】
ユーザーの特定方法は、例えば、操作端末１６０自身の解除パスワードを利用する方法である。また、ユーザーの特定方法は、例えば、再生操作前にユーザー自身が手動で指定する方法である。また、ユーザーの特定方法は、例えば、指紋、音声等による生体認証を使う方法である。
【０１７２】
（その他の変形例）
以上、本発明に係る符号化映像再生装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１７３】
また、符号化映像再生装置１００は、図１に示される全ての構成要素を含まなくてもよい。すなわち、符号化映像再生装置１００は、本発明の効果を実現できる最小限の構成要素のみを含めばよい。実施の形態２に係る操作端末１６０についても同様である。
【０１７４】
また、本発明は、符号化映像再生装置１００または操作端末１６０が備える特徴的な構成部の動作をステップとする符号化映像再生方法として実現してもよい。また、本発明は、そのような符号化映像再生方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１７５】
上記実施の形態で用いた全ての数値は、本発明を具体的に説明するための一例の数値である。すなわち、本発明は、上記実施の形態で用いた各数値に制限されない。
【０１７６】
また、本発明に係る符号化映像再生方法は、例えば、図５および図６の処理の一部または全てに相当する。本発明に係る符号化映像再生方法は、図５および図６における、対応する全てのステップを必ずしも含む必要はない。すなわち、本発明に係る符号化映像再生方法は、本発明の効果を実現できる最小限のステップのみを含めばよい。
【０１７７】
また、符号化映像再生方法における各ステップの実行される順序は、本発明を具体的に説明するための一例であり、上記以外の順序であってもよい。また、符号化映像再生方法におけるステップの一部と、他のステップとは、互いに独立して並列に実行されてもよい。
【０１７８】
なお、符号化映像再生装置１００の各構成要素の一部は典型的には集積回路であるＬＳＩ（Large Scale Integration）として実現されてもよい。例えば、システム制御部１０１は、集積回路として実現されてもよい。
【０１７９】
なお、本発明は、その発明の範囲内において、実施の形態、実施の形態の変形例を自由に組み合わせたり、実施の形態、実施の形態の変形例を適宜、変形、省略することが可能である。
【符号の説明】
【０１８０】
１００，１００Ａ  符号化映像再生装置、１０１，１０１Ａ  システム制御部、１１５  デコーダブロック、１２０  メモリ部、１５１  ユーザー特定部、１５２  使用履歴管理部、１５３  再生モード切替部、１６０  操作端末、１６１  使用履歴情報、１６２  登録端末情報。
【図１】
2014082693.tif 000003
【図２】
2014082693.tif 000004
【図３】
2014082693.tif 000005
【図４】
2014082693.tif 000006
【図５】
2014082693.tif 000007
【図６】
2014082693.tif 000008
【図７】
2014082693.tif 000009
【図８】
2014082693.tif 000010
【図９】
2014082693.tif 000011